(57)【要約】【課題】簡単な構成で水面若しくは水面近傍に浮遊する懸濁物質を広範囲に効率良く吸引採取することが可能であり、かつ採取装置を水域内で強制的に移動させる必要のない懸濁物質採取装置を提供し、懸濁物質吸引採取作業を行った後の水域に清澄な水面をもたらすこと。【解決手段】懸濁物質採取装置１０は、懸濁物質吸入口１２、溝部１４、平板の上部部材４４、補強フレーム部材１６、浮体１８、帆２２、吸水ポンプ２４、導水管２６を有している。補強フレーム部材１６と浮体１８によって浮遊支持体２０が形成され、懸濁物質吸入口１２は、この浮遊支持体２０によって水面下の水面近傍に浮遊する様に支持される。補強フレーム部材１６の中央部には円形状の枠１６ａが形成されて懸濁物質吸入口１２と吸入ポンプ２４が設置され、平板の上部部材４４には、１６本の溝部１４が懸濁物質吸入口１２を略中心として放射状に対向配置されている。【選択図】図１
2008138441.tif 000002
【特許請求の範囲】
【請求項１】
水面上に浮遊可能な浮遊支持体にて、水面下の水面近傍に浮遊する様に支持された懸濁物質吸入口を有し、該懸濁物質吸入口から水面上に浮遊する懸濁物質を吸引採取する懸濁物質採取装置において、
前記懸濁物質吸入口を略中心として、放射状に配置された複数の上側開口の溝部を有し、
該溝部の設置は、前記上側開口の縁部が水面下の水面近傍に位置し、前記懸濁物質吸入口側の端部が、前記懸濁物質吸入口近傍で前記懸濁物質吸入口に対向配置されるように、前記浮遊支持体に設けられてなされたことを特徴とする懸濁物質採取装置。
【請求項２】
前記浮遊支持体は、底部を形成する枠状に形成された補強フレーム部材と、該補強フレーム部材に固定された複数の浮体とを含み、前記浮遊支持体には、前記補強フレーム部材の上側に間隔をおいて平板の上部部材が設けられ、前記複数の溝部は、前記平板の上部部材の上面から下方に凹設されていることを特徴とする請求項１に記載の懸濁物質採取装置。
【請求項３】
前記平板の上部部材、前記補強フレーム部材及び前記浮体は、前記懸濁物質吸入口に対して正逆回転可能に構成され、前記浮体には、帆が取り付けられることを特徴とする請求項２に記載の懸濁物質採取装置。
【請求項４】
前記懸濁物質吸入口の上方位置には、前記平板の上部部材を円形状に貫通した穴に天蓋を設置し、前記複数の溝部の前記懸濁物質吸入口側の端部と前記天蓋と前記懸濁物質吸入口との間に合流領域を形成させたことを特徴とする請求項２又は３の何れか１項に記載の懸濁物質採取装置。
【請求項５】
前記浮遊支持体又は前記上部部材を平面視円盤型に構成し、前記複数の溝部の半径方向の長さを同一にしたことを特徴とする請求項２〜４の何れか１項に記載の懸濁物質採取装置。
【請求項６】
前記溝部の開口幅は、前記懸濁物質吸入口に向かって狭くなることを特徴とする請求項１〜５の何れか１項に記載の懸濁物質採取装置。
【発明の詳細な説明】
【技術分野】
【０００１】
本発明は、懸濁物質採取装置に関し、特にダム湖、池、湖沼、貯水池、ダムの入り江、堀又は海域等で、浮遊懸濁物質が滞留している閉鎖性水域若しくは微流動水域を浄化する懸濁物質採取装置に関する。
【背景技術】
【０００２】
環境上の問題を考慮して、ダム湖、池、湖沼、貯水池、ダムの入り江、堀又は海域等で、植物プランクトン等を含む浮遊懸濁物質が滞留している閉鎖性水域若しくは微流動水域を浄化する方法や装置の開発が活発化している。これは、環境上の問題に加えて、水域に生息している動植物の生死の問題も関連しているからである。
【０００３】
水面若しくは水面近傍に浮遊している懸濁物質を効率良く採取するために、多くの特許文献では、強制的に回流又は渦流を発生させ、発生させた回流又は渦流によって懸濁物質を捕捉して懸濁物質吸入口に誘導し、当該懸濁物質吸入口に接続されている吸水ポンプ等により懸濁物質を吸引採取している。
【０００４】
特許文献１は、上記回流又は渦状の水流を利用するもので、アオコ等の水面浮遊物を広い範囲で回収することができる水質浄化装置及び水質浄化方法を、提供することを目的としている。その構成は、周囲に複数の翼部を備えた回転翼で成る回流発生手段の中心部に、吸水管の吸込口を配置する。そして、回転翼の回転と共に吸込口から吸水作用を行わせて、吸込口を中心とした渦状の水流を、直径の広い範囲の水域に発生させる。これにより、当該水域上に浮遊するアオコを水と共に吸引し、回収するというものである。ここで、吸込口は水面下に配置され、複数の翼部を備えた回転翼は水中において、この吸込口を中心として回転する構成になっている。
【０００５】
すなわち、特許文献１の採取方法は、水中に在る吸水管の吸込口を取り巻くように回転翼を設け、この回転翼によって前記吸込口周囲に環状の水流を発生させると共に、吸込口から吸水作用を行わせて渦状の水流を発生させ、この渦状の水流にアオコを乗せて前記吸込口へ導くというものである。
【０００６】
この技術によれば、回流又は渦流を発生させることで、懸濁物質等を吸引採取できるものの、回流又は渦流を発生させるために回流発生手段を必要としている。一方、回流を発生させずに、浮遊する懸濁物質を採取するものとして、特許文献２を挙げることができる。
【０００７】
特許文献２は、アオコ回収技術の観点から自ら水面を浮遊し、吹送流により風下に集積するアオコの特性を利用して、増殖期の表層アオコを効果的に回収除去することを課題としている。この課題の解決のために、外周に浮き環が取り付けられ、該浮き環により喫水調整され、内部に小径の内部取水管を備えた二重管構造の浮き取水管を風下の閉鎖水域表面に弓状に連結設置する。そして、喫水位で内部取水管を浮き取水管の内周に内接すると共に、内接する喫水位に複数の呑み口を形成し、喫水位に設けた呑み口から浮上アオコを含む表層水を、内部取水管内に引き込む水中ポンプを設けた構成が開示されている。
【０００８】
すなわち、特許文献２の採取方法は、アオコ発生水域の風下で、喫水位に複数の呑み口を形成し、喫水位に設けた複数の呑み口から浮上アオコを含む表層水を、内部取水管内に引き込むというものである。
【０００９】
【特許文献１】特開２０００−３０３４３８号公報
【特許文献２】特開２００５−４６６７２号公報
【発明の開示】
【発明が解決しようとする課題】
【００１０】
上記特許文献１に記載の浄化方法は、発生させた渦状の水流にアオコを乗せて吸込口へ導いているので、確かに水面若しくは水面近傍に浮遊する懸濁物質を吸引採取することは可能であると考えられる。しかし、回流発生手段を必要とするので、装置全体が大掛かりで複雑となり、作業する場所を変更して移動する場合には、専用の作業船を必要としている。従って、懸濁物質採取装置の製造コストが高く付き、また作業コストが高くなることは否めない。
【００１１】
更に、懸濁物質を吸込口に効果的に導いていない場合は、吸引採取した懸濁物質は僅かであるのに、吸水した水の量は多いという非効率的な作業となる。効果的に懸濁物質を吸込口に誘導することが大切であるが、回流又は渦流を発生して誘導し、吸引採取する方法には自ずと限度があり、採取する懸濁物質に対して吸水する水の量はある程度多くなることは否めない。
【００１２】
上記特許文献２に記載の回収方法は、喫水位に設けた複数の呑み口から浮上アオコを含む表層水を内部取水管内に引き込むため、効果的に水面若しくは水面近傍を浮遊している懸濁物質を回収することが可能であると考えられる。また、回流を利用しないため、回流を発生させる手段は必要とせず、また吸引した懸濁物質の単位質量当たりの吸水量は少なくて済むと思われる。しかし、特許文献２の方法は、二重管構造の浮き取水管を風下の閉鎖水域表面に弓状に連結設置することが必要なため、採取装置を簡単に移動することが出来ない。
【００１３】
加えて、水面に浮遊する懸濁物質は、風の影響を受けて風下へ流れるため、採取装置が一定の場所に固定されているのではなく、容易にその場所が変えられることが望ましい。若しくは、風の影響を受けて流れた懸濁物質を追うように採取装置が追従することが望ましい。特許文献２に示されるように、懸濁物質採取装置を一定の場所に固定した場合には、懸濁物質が風の影響で移動するとその回収が難しくなり、また回収率が低下することとなる。
【００１４】
本発明は上記課題に鑑みてなされたものであり、その目的は、簡単な構成で水面若しくは水面近傍に浮遊する懸濁物質を、効率良く吸引採取することが可能であり、かつ採取装置を水域内で強制的に移動させる必要のない懸濁物質採取装置を提供することにある。
【課題を解決するための手段】
【００１５】
本発明の請求項１に記載の懸濁物質採取装置は、水面上に浮遊可能な浮遊支持体にて、水面下の水面近傍に浮遊する様に支持された懸濁物質吸入口を有し、該懸濁物質吸入口から水面上に浮遊する懸濁物質を吸引採取する懸濁物質採取装置において、前記懸濁物質吸入口を略中心として、放射状に配置された複数の上側開口の溝部を有し、該溝部の設置は、前記上側開口の縁部が水面下の水面近傍に位置し、前記懸濁物質吸入口側の端部が、前記懸濁物質吸入口近傍で前記懸濁物質吸入口に対向配置されるように、前記浮遊支持体に設けられてなされたことを特徴とする。
【００１６】
上記構成によれば、懸濁物質吸入口から水面近傍の水が吸入され、懸濁物質吸入口への水の流れが発生すると、複数の溝部内にも水の流れが発生することとなる。複数の溝部は、懸濁物質吸入口を略中心として放射状に配置され、懸濁物質吸入口側の端部が、懸濁物質吸入口近傍で懸濁物質吸入口に対向配置されているので、広範囲で効果的に、懸濁物質を含む水が懸濁物質吸入口に誘導されて吸水されることとなる。
【００１７】
請求項２に記載のように、前記浮遊支持体は、底部を形成する枠状に形成された補強フレーム部材と、該補強フレーム部材に固定された複数の浮体とを含み、前記浮遊支持体には、前記補強フレーム部材の上側に間隔をおいて平板の上部部材が設けられ、前記複数の溝部は、前記平板の上部部材の上面から下方に凹設されているので、懸濁物質吸入口から吸入される水は、主に平板の上部部材上に存在している水に限定されるので、より効果的に溝部内の流れを生起させることができ、懸濁物質を含む水の広範囲の吸入が、より確実に確保される。また、懸濁物質吸入口から吸入される水の範囲が限定されているので、吸水ポンプの負荷も軽くすることが可能となる。
【００１８】
請求項３に記載のように、前記平板の上部部材、前記補強フレーム部材及び前記浮体は、前記懸濁物質吸入口に対して正逆回転可能に構成され、前記浮体には、帆が取り付けられるので、懸濁物質が浮遊している水域内の自然風に従って、平板の上部部材、補強フレーム部材及び浮体が回転しながら移動する。従って、水面にある懸濁物質が大きくて、一つの溝部では効果的に吸引できない場合であっても、隣接する他の溝部がその懸濁物質に近づいて吸引することが可能となる。更に、懸濁物質採取装置が風に流された水域内の浮遊懸濁物質を追って行くので、風に流された懸濁物質を効率良く吸引採取することが可能となる。それ故に、懸濁物質採取装置を、水域内で強制的に移動させる手間と労力を省くことが可能であり、その結果として、作業コストを大幅に削減することができる。
【００１９】
請求項４に記載のように、前記懸濁物質吸入口の上方位置には、前記平板の上部部材を円形状に貫通した穴に天蓋を設置し、前記複数の溝部の前記懸濁物質吸入口側の端部と前記天蓋と前記懸濁物質吸入口との間に合流領域を形成させているので、複数の溝部によって誘導された懸濁物質を含む水は、この合流領域に一斉に流れ込んで来るので、懸濁物質吸入口から効果的に吸入されることとなる。
【００２０】
請求項５に記載のように、前記浮遊支持体又は前記上部部材を平面視円盤型に構成し、前記複数の溝部の半径方向の長さを同一にしているので、複数の溝部から広範囲にかつ均等に懸濁物質を含む水を吸入でき、また吸引採取作業を行う水域内での回転移動に都合が良い。
【００２１】
請求項６に記載のように、前記溝部の開口幅は、前記懸濁物質吸入口に向かって狭くなるので、溝部内で発生した水の流れは、懸濁物質吸入口に向かって勢いを増していくこととなり、懸濁物質を含む水を懸濁物質吸入口に効率良く誘導し、吸入することが可能である。
【発明の効果】
【００２２】
本発明の懸濁物質採取装置によれば、懸濁物質吸入口を略中心として、放射状に配置された複数の上側開口の溝部を有しているので、簡単な構成で水面若しくは水面近傍に浮遊する懸濁物質を、広範囲で効果的に吸引採取することが可能であり、懸濁物質採取作業を行った後の水域に清澄な水面をもたらすことができることとなる。
【発明を実施するための最良の形態】
【００２３】
以下、この発明の実施の形態について図面を参照して説明する。図１は本発明の懸濁物質採取装置の平面図、図２は図１中のＡ−Ａ線に沿う懸濁物質採取装置の概略断面図である。なお、本実施の形態では、水面若しくは水面近傍に浮遊する懸濁物質としてアオコを想定して説明する。
【００２４】
懸濁物質採取装置１０は、懸濁物質吸入口１２、溝部１４、平板の上部部材４４、補強フレーム部材１６、浮体１８、帆２２、吸水ポンプ２４、導水管２６を有している。補強フレーム部材１６と浮体１８によって浮遊支持体２０が形成され、懸濁物質吸入口１２は、浮遊支持体２０によって水面下の水面近傍に浮遊する様に支持される。まず、全体構成を説明すると、補強フレーム部材１６の中央部には円形状の枠１６ａが形成されており、この円形状の枠１６ａの部分に懸濁物質吸入口１２が配置され、その下方に吸入ポンプ２４が設置されている。そして、浮遊支持体２０には、補強フレーム部材１６の上側に間隔をおいて平板の上部部材４４が設けられ、１６本の溝部１４が、平板の上部部材４４の上面から下方に、懸濁物質吸入口１２を略中心として放射状に凹設されている。そして、溝部１４の外側であって補強フレーム部材１６上の特定の位置に８個の浮体１８が固定されており、浮体１８の上面部に、帆２２が台座１８ａを介して取り付けられている。以下、それぞれの構成部品について説明する。
【００２５】
なお、平板の円形状の上部部材４４は薄い板又は金属板で製作され、更に溝部１４が平板の円形状の上部部材４４と補強フレーム部材１６との間に固定されることで、懸濁物質採取装置１０は、全体として堅固な構成を実現している。
【００２６】
懸濁物質吸入口１２は、懸濁物質を含む水を吸入する口であり、吸水ポンプ２４本体に連接して設けられており、内部に羽根車２４ｂが設けられている。懸濁物質を含む水は、この懸濁物質吸入口１２から吸水され、導水管２６を通って送出される。本実施の形態では、補強フレーム部材１６に、懸濁物質吸入口１２が、吸水ポンプ２４に連接して設けられている場合に付いて示しているが、単に懸濁物質吸入口１２のみが補強フレーム部材１６に取り付けられ、これとパイプやホース等で連通された吸水ポンプ２４が別の場所、例えば岸辺に設置されている構成であっても良い。
【００２７】
放射状の溝部１４は、懸濁物質吸入口１２を略中心として伸長しており、各溝部１４の半径方向の長さは同一の長さに統一されているので、懸濁物質採取装置１０は全体として円盤型の構成を有している。１６本の溝部１４の懸濁物質吸入口側端部１４ｂは、懸濁物質吸入口１２近傍で懸濁物質吸入口１２に対向配置されている。すなわち、溝部１４は、懸濁物質吸入口１２側の端部１４ｂが懸濁物質吸入口１２と一定の間隔を置いて配置されている。なお、溝部１４は、プラスチック樹脂、発泡スチロール、木材、金属材料等から適宜選択して構成することが可能であり、溝部１４を、平板の上部部材４４と補強フレーム部材１６の間に固定する方法は、溶接、ビス止め、錨止め、接着剤等適宜選択することができる。
【００２８】
溝部１４の開口幅は、懸濁物質吸入口側端部１４ｂに向かって徐々に狭くなっており、１６本の溝部１４のそれぞれの上側開口の縁部１４ａは、平板の上部部材４４により略同一の高さにあって、水面下約２〜３ｃｍの位置になるように、補強フレーム部材１６と浮体１８、すなわち浮遊支持体２０によって調整されている。溝部１４の深さは、２段階で傾斜角度を変え、懸濁物質吸入口側端部１４ｂに向かって徐々に深くなるように構成されている。すなわち、懸濁物質吸入口側端部１４ｂから半径方向の外側に向かって第一の傾斜角度θ１で深さが浅くなり、傾斜角度変化部１４ｃから外側に向かって第一の傾斜角度θ１より勾配が急な第二の傾斜角度θ２で、深さが浅くなるように構成されている。
【００２９】
懸濁物質吸入口１２の上方位置には、平板の上部部材４４を円形状に貫通した穴に天蓋３０が設置され、溝部１４の懸濁物質吸入口側端部１４ｂと天蓋３０と懸濁物質吸入口１２との間に合流領域２８が形成されている。天蓋３０には取手３０ａが設けられ、開閉が可能な状態で取り付けられている。この天蓋３０により、吸水ポンプの上部固定用とすると共に、吸水ポンプのメンテナンスが容易にできる。
【００３０】
補強フレーム部材１６の円形状の枠１６ａの周囲には、円形状の溝３２ａが形成されて、ボールローラ３２が設けられている。その上から吸水ポンプ２４の上部に設けられたフランジ３４の下面が、吸水ポンプ２４の自重でボールローラ３２に接するように構成されている。係る構成を採用しているので、平板の上部部材４４、補強フレーム部材１６及び浮体１８が回転しても、吸水ポンプ２４自体は回転しないこととなる。
【００３１】
浮体１８は、前述のように、補強フレーム部材１６と浮体１８とで構成される浮遊支持体２０によって、各溝部１４の上側開口の縁部１４ａ、すなわち、平板の上部部材４４が水面下２〜３ｃｍとなるように、その個数や材質等が選ばれている。本実施の形態では、前述のように浮体１８の個数は８であり、長方体のものを用いたが、この形状に拘らず立方体、円柱体であっても良い。なお、浮体１８は補強フレーム部材１６に堅固に取り付けられているが、この固定方法は、ビス止め等適宜の方法を用いることができる。
【００３２】
帆２２は、浮体１８の上部に台座１８ａを介して取り付けられている。帆２２の材質は、プラスチック樹脂材、布材、板材等適宜用いることができる。更に、帆２２には風を効率良く受けるために、角度付けされていても良い。
【００３３】
各浮体１８の外側には、アオコ以外の長尺物の塵等の浮遊物の進入を防ぐために、防塵網３６が取り付けられ、水面下に垂れている。本実施の形態では、８個の浮体１８の外側を一周して覆うように防塵網３６が設けられ、防塵網３６の下端部には必要に応じて錘３８が取り付けられている。
【００３４】
図３は、本発明による懸濁物質採取装置１０の水域内での動作説明図である。以下、水面若しくは水面近傍に浮遊する懸濁物質を吸引採取する作業について説明しながら、本発明の懸濁物質採取装置１０の各部の作用について詳述する。まず、懸濁物質採取装置１０を、水域内の懸濁物質の吸引採取作業を行うべき最初の場所に配置する。なお、懸濁物質採取装置１０は、水域内の自然風によって自由に移動することが可能なので、最初に作業する場所を指定しない場合には懸濁物質採取装置１０は水域内のどこに位置しても良い。懸濁物質採取装置１０を所定の位置に配置した後、吸水ポンプ２４を動作させる。
【００３５】
懸濁物質採取装置１０により吸水された懸濁物質を含む水は、水域内の岸辺に設置された貯水槽４０に導水管２６を介して送出される。この導水管２６は、可とう性のある材質で構成され、懸濁物質採取装置１０が水域内を十分に広範囲に移動できるように十分の長さが確保されている。貯水槽４０は、図示してはいないが、第一貯水槽で小枝等の塵芥物が取り除かれ、同じく図示していない第二貯水槽を介して岸の上に設置されている処理槽４２にポンプにより送出され、処理される。
【００３６】
水域内の懸濁物質の吸引採取作業を行うべき最初の場所に設置された懸濁物質採取装置１０は、吸水ポンプ２４が作動しているので、懸濁物質吸入口１２から水の吸入が行われる。すると、１６本の溝部１４に、水の流れが発生することとなる。溝部１４の開口幅は、懸濁物質吸入口１２に向かって徐々に狭くなっており、溝部１４の懸濁物質吸入口側端部１４ｂは合流領域２８に繋がっているので、溝部１４を伝わって来た水は合流領域２８に一斉に結集し、懸濁物質吸入口１２から効果的に吸水されることとなる。
【００３７】
更に、溝部１４は、平板の上部部材４４にスリット形状で設けられているので、懸濁物質吸入口１２から吸入される水は、主に平板の上部部材４４上に存在している水に限定される。その結果として、より効果的に溝部１４内の水の流れが生起され、懸濁物質を含む水の広範囲の吸入が、より確実に確保されることとなる。このようにして、懸濁物質採取装置１０が設置された領域では、広範囲に効率良く懸濁物質が吸引採取され、清澄な水面がもたらされることとなる。
【００３８】
一方、水面若しくは水面近傍に浮遊する懸濁物質は、水域内の風で容易に移動するために、移動した懸濁物質に追従して懸濁物質採取装置を強制的に移動させる必要があったが、本発明の懸濁物質採取装置１０は、ボールローラ３２及び帆２２が設けられているため、水域内を風によって回転しながら移動することが可能である。すなわち、本発明の濁物質採取装置１０は、風で移動した懸濁物質を、自然に追いながら吸引採取することが可能である。従って、懸濁物質採取装置１０は水域内を自由に回転移動するので、強制的或いは人為的に牽引する必要がなく、作業コストを大幅に削減することが可能となる。
【００３９】
本発明の懸濁物質採取装置１０は、円盤型に構成されているので、複数の溝部１４から広範囲にかつ均等に懸濁物質を含む水を吸入でき、また吸引採取作業を行う水域内での回転移動に都合が良い。なお、懸濁物質採取装置１０が回転することの意義は、一つの溝部１４で懸濁物質が吸引採取できなくても、隣接する他の溝部１４が懸濁物質に近づいて吸引採取することができる点にある。従って、水域内の懸濁物質をより効率的に吸引採取することが可能となっている。
【００４０】
また、懸濁物質採取装置１０には防塵網３６が設けられているので、アオコ以外の長尺物の塵等は溝部１４の存在する領域には入り込まず、良好な懸濁物質吸引採取作業を行うことが可能である。なお、防塵網３６の下端部に錘３８が取り付けられた場合、この錘３８により水域が波浪していても防塵網３６が安定していることとなる。
【００４１】
なお、本発明は上記実施の形態に限定されることなく、発明の趣旨を逸脱しない範囲で種々変更可能である。例えば、溝部１４の数を１６より少なくし、その断面形状を変えても良い。また、帆２２の数を変更しても、その形状・材質を変えても構わない。更に、各部材の寸法も、実施の形態に限定されることなく、懸濁物質を除去すべき水域に応じて、適宜設計変更することができる。
【産業上の利用可能性】
【００４２】
本発明は、ダム湖、池、湖沼、貯水池、ダムの入り江、堀又は海域等で植物プランクトン等を含む懸濁物質が滞留している閉鎖性水域若しくは微流動水域において利用することが可能である。本発明の趣旨を逸脱しない範囲で種々設計変更すれば、例えば、油流出時の油回収等、水面に浮遊しているものの回収に転用することが可能である。
【図面の簡単な説明】
【００４３】
【図１】本発明による懸濁物質採取装置の平面図である。
【図２】図１中のＡ―Ａ線に沿う概略断面図である。
【図３】本発明による懸濁物質採取装置の水域内での動作説明図である。
【符号の説明】
【００４４】
１０  懸濁物質採取装置
１２  懸濁物質吸入口
１４  溝部
１４ａ  上側開口の縁部
１４ｂ  懸濁物質吸入口側の端部
１４ｃ  傾斜角度変化部
１６  補強フレーム部材
１６ａ  円形状の枠
１８  浮体
１８ａ  台座
２０  浮遊支持体
２２  帆
２４  吸水ポンプ
２４ｂ  羽根車
２６  導水管
２８  合流領域
３０  天蓋
３０ａ  取手
３２  ボールローラ
３２ａ  円形状の溝
３４  フランジ
３６  防塵網
３８  錘
４０  貯水槽
４２  処理槽
４４  平板の上部部材
θ１  第一の傾斜角度
θ２  第二の傾斜角度
Ｓ  水面
【図１】
2008138441.tif 000003
【図２】
2008138441.tif 000004
【図３】
2008138441.tif 000005